(57)【要約】【課題】  簡単な操作で複数の放送メディアに跨がってシームレスに所望のチャンネルを高速に選局する。  【解決手段】  地上ディジタルの011チャンネルを受信し、そのチャンネルの画像Ｐ１とバナーＱ１とが表示される。チャンネル＋キーが押されると、次の012チャンネルの画像Ｐ２とバナーＱ２とが表示される。キーが押し続けられると、選局状態が012チャンネルにホールドされ、バナーのみが変化し、最後のチャンネル番号211まで変化する。次にＢＳを選局する状態に変化し、最初の101チャンネルが選局される。画面には、101チャンネルの画像Ｐ３とバナーＱ４とが表示される。キーを押し続けている間は、101チャンネルの選局状態がホールドされ、バナーのみが変化する。ＢＳの200チャンネルでキーから手を離すと、200チャンネルの選局状態になり、映像Ｐ４とバナーＱ５が表示される。【選択図】  図７
2005109838.tif 000002
【特許請求の範囲】
【請求項１】
複数の放送メディアによる放送を受信可能な受信装置において、
複数のチューナを含む受信部と、
複数の上記放送メディアに跨がってチャンネル番号を昇順または降順に切り換えるチャンネル切換キーを含む操作部と、
上記操作部からの操作信号を受け取り、上記受信部を制御して選局チャンネルを切り換える制御部と、
画面上の一部にチャンネル表示を行うための表示制御部とを備え、
上記チャンネル切換キーが操作されると、上記受信部によって隣接するチャンネルを選局し、上記チャンネル切換キーが連続的に操作される期間、上記隣接するチャンネルの選局状態をホールドし、上記期間、上記チャンネル表示を連続的に変化させ、上記放送メディアを跨がった場合には、上記放送メディアが切り換わったことを示す画像を表示し、
上記チャンネル切換キーの連続的操作を停止した場合に、停止した時点で上記チャンネル表示で示されるチャンネルを選局するように、上記受信部を制御するようにした受信装置。
【請求項２】
請求項１において、
上記チャンネル表示は、画面の一部にチャンネル番号を表示するバナー表示である受信装置。
【請求項３】
請求項２において、
上記チャンネル番号と共に、上記放送メディアを示す表示を行う受信装置。
【請求項４】
請求項１において、
上記放送メディアが切り換わった場合に、上記受信部の選局状態を制御することによって、上記ホールド状態を解除し、上記切り換わったことを示す画像として、移動した先の上記放送メディアの所定のチャンネルの受信画像を表示する受信装置。
【請求項５】
請求項４において、
上記所定のチャンネルは、上記放送メディアが切り換わった後に最初に受信されるチャンネルである受信装置。
【請求項６】
請求項１において、
上記放送メディアを跨いだ時に、跨いだ先の放送メディア内に選局するチャンネルが無い場合は、その放送メディアをスキップし、次の放送メディアを選局する受信装置。
【請求項７】
請求項１において、
上記放送メディアを跨いだ時に、跨いだ先の放送メディア内に選局するサービスが無い場合は、その放送メディアをスキップし、次の放送メディアを選局する受信装置。
【請求項８】
複数の放送メディアによる放送を受信可能で、
複数の上記放送メディアに跨がってチャンネル番号を昇順または降順に切り換えるチャンネル切換キーの操作信号を受け取り、複数のチューナを含む受信部を制御して選局チャンネルを切り換え、画面上の一部にチャンネル表示を行う受信方法であって、
上記チャンネル切換キーが操作されると、隣接するチャンネルを選局するステップと、
上記チャンネル切換キーが連続的に操作される期間、上記隣接するチャンネルの選局状態をホールドし、上記期間、上記チャンネル表示を連続的に変化させ、上記放送メディアを跨がった場合には、上記放送メディアが切り換わったことを示す画像を表示するステップと、
上記チャンネル切換キーの連続的操作を停止した場合に、停止した時点で上記チャンネル表示で示されるチャンネルを選局するステップとを有する受信方法。
【請求項９】
請求項８において、
上記チャンネル表示は、画面の一部にチャンネル番号を表示するバナー表示である受信方法。
【請求項１０】
請求項９において、
上記チャンネル番号と共に、上記放送メディアを示す表示を行う受信方法。
【請求項１１】
請求項８において、
上記放送メディアが切り換わった場合に、上記受信部の選局状態を制御することによって、上記ホールド状態を解除し、上記切り換わったことを示す画像として、移動した先の上記放送メディアの所定のチャンネルの受信画像を表示する受信方法。
【請求項１２】
請求項１１において、
上記所定のチャンネルは、上記放送メディアが切り換わった後に最初に受信されるチャンネルである受信方法。
【請求項１３】
請求項８において、
上記放送メディアを跨いだ時に、跨いだ先の放送メディア内に選局するチャンネルが無い場合は、その放送メディアをスキップし、次の放送メディアを選局する受信方法。
【請求項１４】
請求項８において、
上記放送メディアを跨いだ時に、跨いだ先の放送メディア内に選局するサービスが無い場合は、その放送メディアをスキップし、次の放送メディアを選局する受信方法。
【発明の詳細な説明】
【技術分野】
【０００１】
この発明は、複数の放送メディアを受信することが可能な受信装置および受信方法に関し、特に、複数の放送メディアをシームレスに跨いで選局を行うことを可能とするものである。
【背景技術】
【０００２】
わが国では、地上アナログ放送に加えてＢＳ(Broadcasting Satellite)衛星放送、ＣＳ(Communicaton Satellite)ディジタル衛星放送が開始され、さらに、地上ディジタル放送が開始されようとしている。ＣＳディジタル衛星放送は、ＢＳディジタル放送（以下、ＢＳと適宜称する）用の衛星と同じ東経１１０度方角に静止する人工衛星を利用するもので、放送事業者として、プラットワン（以下、ＣＳ１と適宜称する）およびスカイパーフェクトＴＶ！２（以下、ＣＳ２と適宜称する）が存在する。これらの受信可能な異なる種類の放送を放送メディアと呼ぶことにする。より具体的には、アンテナ、チューナ等の受信部に対応して放送メディアが存在し、さらに同一の受信部で受信可能であっても、放送事業者が異なると、放送メディアが異なったものとなる。
【０００３】
従来、複数の放送メディアが存在する場合の受信方法として、二つの衛星のサービスリストのチャンネル番号をソートして一覧を作成し、衛星の区別なく、すなわち、シームレスにチャンネル番号順に選局することを可能とすることが下記の特許文献に記載されている。
【０００４】
【特許文献１】特開２００１−２３８１４２号公報
【発明の開示】
【発明が解決しようとする課題】
【０００５】
従来の複数の放送メディアを受信可能な受信装置においては、各放送メディアに対してダイレクト選局を行うための数字キーをリモコンコマンダに配置して、数字キーを操作することによりシームレス選局を行っていた。この方法には、以下の問題があった
【０００６】
ダイレクト選局の数字キーでは、多チャンネルを有する放送メディアのすべてのチャンネルを選局することができない。また、各放送メディアに対してのダイレクト選局の数字キーを持たなければいけない。
【０００７】
従来の他の選局方法として、異なる放送メディアに含まれる、選局したいチャンネルをユーザが予め登録しておき、そのリストを画面上に表示して  ユーザに選択させることにより選局を行ってものがある。この方法には、下記のような問題点があった
【０００８】
リストに登録できるチャンネル数に制限があると、多チャンネルを有する放送メディアのすべてのチャンネルを選局することができない。
【０００９】
さらに、ＥＰＧ（Electorical Program Guide)上に複数の放送メディア（ディジタル放送に限る）のチャンネルを一緒に表示して、チャンネルを選択することにより選局を行う方法がある。これには下記のような問題点があった
【００１０】
ＥＰＧの情報が放送されるディジタル放送に限定される。また、放送メディアが多くなると、選局するまでのユーザの操作回数が多くなる問題がある。
【００１１】
さらに、上述した特許文献１に記載の方法は、二つの異なる衛星放送のサービスを統合して順番に選局するものであり、放送メディア毎に順に選局を行い、最後のチャンネルを選局したら次の放送メディアにシームレスに移って再び順に選局を行うものとは相違している。
【００１２】
したがって、この発明の目的は、複数の放送メディアに跨がって全てのチャンネルをシームレスに選局することができ、また、操作が簡単で、さらに、ユーザが放送メディアの切り替わりが容易に分かる受信装置および受信方法を提供することにある。
【課題を解決するための手段】
【００１３】
上述した課題を解決するために、この発明は、複数の放送メディアによる放送を受信可能な受信装置において、
複数のチューナを含む受信部と、
複数の放送メディアに跨がってチャンネル番号を昇順または降順に切り換えるチャンネル切換キーを含む操作部と、
操作部からの操作信号を受け取り、受信部を制御して選局チャンネルを切り換える制御部と、
画面上の一部にチャンネル表示を行うための表示制御部とを備え、
チャンネル切換キーが操作されると、受信部によって隣接するチャンネルを選局し、チャンネル切換キーが連続的に操作される期間、隣接するチャンネルの選局状態をホールドし、期間、チャンネル表示を連続的に変化させ、放送メディアを跨がった場合には、放送メディアが切り換わったことを示す画像を表示し、
チャンネル切換キーの連続的操作を停止した場合に、停止した時点でチャンネル表示で示されるチャンネルを選局するように、受信部を制御するようにした受信装置である。
【００１４】
この発明は、複数の放送メディアによる放送を受信可能で、
複数の放送メディアに跨がってチャンネル番号を昇順または降順に切り換えるチャンネル切換キーの操作信号を受け取り、複数のチューナを含む受信部を制御して選局チャンネルを切り換え、画面上の一部にチャンネル表示を行う受信方法であって、
チャンネル切換キーが操作されると、隣接するチャンネルを選局するステップと、
チャンネル切換キーが連続的に操作される期間、隣接するチャンネルの選局状態をホールドし、期間、チャンネル表示を連続的に変化させ、放送メディアを跨がった場合には、放送メディアが切り換わったことを示す画像を表示するステップと、
チャンネル切換キーの連続的操作を停止した場合に、停止した時点でチャンネル表示で示されるチャンネルを選局するステップとを有する受信方法である。
【００１５】
この発明では、チャンネル切換キーが操作されると、現在の放送メディア内の現在のチャンネルと隣接するチャンネルが選局され、そのチャンネルの映像および音声が再生される。チャンネル切換キーが連続的に操作されて、放送メディアを跨がると、放送メディアが切り換わったことを示す画像が表示される。また、チャンネル切換キーが連続的に操作されている期間では、チャンネル番号等のチャンネル表示が連続的に変化する。チャンネル切換キーが手を離したりすくと、その時点のチャンネル表示で示されるチャンネルを選局する状態となる。
【発明の効果】
【００１６】
この発明は、チャンネル切換キーのみにより、アナログ放送・ディジタル放送を含む全ての放送メディアをシームレスに跨いで選局できる。したがって、シンプルな操作のみで、放送メディアを跨いで視聴したいチャンネルを選局することができる
【００１７】
また、この発明は、チャンネル切換キーの押し続けによる高速選局動作により、放送メディアを跨ぐ視聴したいチャンネルを迅速に選局することができる
【００１８】
この発明では、チャンネル切換キーの押し続けによる高速選局動作時に、放送メディアがシームレスに切り替わる際、切り換わり先の放送メディアの所定のチャンネル例えば最初のチャンネルの選局のみを行い、選局したチャンネルの画像および音声を提示することにより、ユーザに対して放送メディアが切り替わったことを明瞭に提示することができる。これにより、視聴したい放送メディアの視聴したいチャンネルをうっかり通り越してしまうことを防止できる。
【発明を実施するための最良の形態】
【００１９】
以下、この発明の実施形態について図面を参照して説明する。図１は、この発明による受信装置の一実施形態を示している。受信装置は、概略的にはパラボラアンテナ１、地上ディジタルアンテナ２、地上アナログアンテナ３、アナログ放送受信装置とディジタル放送受信装置を内蔵したディジタルテレビジョン受像機４などを有している。テレビジョン受像機４は、操作部としてのリモコンコマンダ５からのリモートコントロール信号の受信部６を有している。
【００２０】
受信装置は、例えば地上アナログ放送システム、地上ディジタル放送システム、ディジタル衛星放送システムの一部を構成している。パラボラアンテナ１は、ＢＳ、ＣＳ１およびＣＳ２を受信するアンテナであり、アンテナ１で受信された受信信号がディジタルテレビジョン受像機４に供給される。アンテナ２は、地上ディジタル放送を受信するアンテナであり、アンテナ２で受信された受信信号がディジタルテレビジョン受像機４に供給される。アンテナ３は、地上アナログ放送を受信するアンテナであり、アンテナ３で受信された受信信号がディジタルテレビジョン受像機４に供給される。
【００２１】
リモコンコマンダ５は、ディジタルテレビジョン受像機４に対するユーザの操作入力部としての役割を果たしており、例えば赤外線(ＩＲ：Infrared) 信号によりディジタルテ
レビジョン受像機４に対して各種の指令を与えることができる。
【００２２】
図２は、この発明の一実施形態の信号処理の構成の概略を示す。パラボラアンテナ１からの信号がディジタルチューナ１１に供給され、ディジタルチューナ１１の出力が信号処理部１４に供給される。アンテナ２からの信号がディジタルチューナ１２に供給され、ディジタルチューナ１２の出力信号が信号処理部１５に供給される。アンテナ３からの信号がアナログチューナ１３に供給され、アナログチューナ１３の出力信号が信号処理部１６に供給される。これらのアンテナおよびチューナは、受信部を構成する。
【００２３】
信号処理部１４および１５では、復調処理、誤り訂正、復号処理等がなされ、映像信号、音声信号およびデータが各信号処理部から出力される。信号処理部１６では、復調処理がなされ、映像信号および音声信号が信号処理部１６から出力される。これらの信号処理部１４、１５、１６のそれぞれの出力信号が切り替え部１７に供給され、何れか一つの信号処理部の出力信号が選択的に出力される。
【００２４】
切り替え部１７で選択された信号が画像処理部１８に供給される。画像処理部１８では、ディジタル信号処理によって画像の質例えば解像度を改善する処理等がなされる。画像処理部１８の出力信号が表示制御部としてのＯＳＤ(On Screen Display)部１９に供給さ
れ、ＯＳＤ部１９の出力が液晶、プラズマディスプレイ等のディスプレイ２０に供給される。ＯＳＤ部１９は、ディジタルテレビジョン受像機４の画面上の映像に対して種々の表示を重畳する。例えば、放送メディアの種類とチャンネル番号からなるチャンネル表示（以下、適宜バナーと称する）がＯＳＤ部１９によってなされる。
【００２５】
図２において、参照符号２１が受信装置の全体の動作を制御する制御部としてのコントローラを示す。コントローラ２１は、１または複数のＣＰＵ(Central Processing Unit)
によって構成される。コントローラ２１には、受信部６からのリモートコントロール信号が供給され、リモコンコマンダ５を介してなされたユーザの操作入力がコントローラ２１で受け付けられる。なお、図２は、受信装置の概略的な構成を示すもので、リモートコントローラ以外の操作部、電話回線との接続部、ＩＣカードとのインターフェース等の通常のディジタルテレビジョン受像機が備える構成要素については、省略されている。
【００２６】
コントローラ２１は、チューナ１１、１２、１３のそれぞれの選局動作を制御する。コントローラ２１に含まれるメモリ例えば不揮発性メモリには、各放送メディアの選局可能なチャンネルのリストが記憶される。また、信号処理部１６から受信された放送信号のデータが分離されてコントローラ２１に対して供給される。選局可能なチャンネルのリストは、ユーザが手動で設定したり、受信された各放送メディアのデータを使用して設定される。後述するように、バナーとして表示されるチャンネル番号は、選局可能なチャンネルのリストに基づいたものとされる。選局可能なチャンネルは、実際に放送局が存在し、受信可能なチャンネルを意味している。但し、バナーとして表示されるチャンネル番号を単純に昇順または降順に１ステップずつ変化させるようにしても良い。
【００２７】
図３は、リモコンコマンダ５のキー群の一例を示す。ユーザがリモコンコマンダ５の、キー群の任意のキーを押下することにより、そのキーの機能に対応する赤外線信号ＩＲがＩＲ発信部５ａから出て、ディジタルテレビジョン受像機４の受信部６で受信される。
【００２８】
リモコンコマンダ５に設けられている操作キーについて、発信部５ａから順に説明する。５１が電源キー、５２が音声切換キー、５３が画面表示キー、５４が消音キーである。円周上に分割してセットアップキー５５、予約一覧キー５６、連動データキー５７、戻るキー５８、ＭＹプラスキー５９、および番組表キー６０が配置されている。これらのキーに取り囲まれてカーソル移動キー６１が設けられている。カーソル移動キー６１は、押下可能とされた決定キーの構成も兼用している。
【００２９】
６２は、ディジタル地上波キー、６３がＢＳキー、６４がＣＳキー、６５がテンキー設定キーである。１〜１２の番号キーからなるディジタルテンキー６６と、１〜１２の番号キーからなるアナログテンキー６７とが設置されている。ディジタル地上波キー６２、ＢＳキー６３、またはＣＳキー６４を押すことによって放送メディアを選択し、次に、ディジタルテンキー６６の何れかのキーを押すことによって、そのキーに割り当てられているチャンネルを選局することが可能とされている。例えば「３」の数字キーは、ＢＳキー６３を押したＢＳ選局時では、ＮＨＫハイビジョンに割り当てられている。ＣＳキー６３は、１回押すとＣＳ１が選択され，もう１回押すと、ＣＳ２が選択される。
【００３０】
また、アナログテンキー６７は、地上アナログ放送を選局するためのキー群であり、その番号とチャンネル番号が対応している。地上アナログ放送は、アナログテンキー６７の何れかのキーを選択的に押すことによってダイレクトにそのキーに対応するチャンネルを受信できる。
【００３１】
６８は、チャンネル切換キーとしてのチャンネル＋キーを示し、６９は、チャンネル切換キーとしてのチャンネル−キーを示す。チャンネル＋キー６８を押すと、選局されるチャンネル番号が昇順に変化し、チャンネル−キー６９を押すと、選局されるチャンネル番号が降順に変化する。また、これらのキー６８および６９を押し続けると、高速選局動作がなされる。
【００３２】
７０は、音量アップキーを示し、７１は、音量ダウンキーを示す。音量アップキー７０を押すことによって音量を増大でき、音量ダウンキー７１を押すことによって音量を減少できる。
【００３３】
図４は、テレビサービス受信時に、リモコンコマンダ５のチャンネル＋キー６８またはチャンネル−キー６９を押したときのシームレス選局の動作を示す。図５は、ラジオサービス受信時に、リモコンコマンダ５のチャンネル＋キー６８またはチャンネル−キー６９を押したときのシームレス選局の動作を示し、図６は、データサービス受信時に、リモコンコマンダ５のチャンネル＋キー６８またはチャンネル−キー６９を押したときのシームレス選局の動作を示す。
【００３４】
図４を参照してテレビサービスの場合の選局動作を説明する。例えば放送メディアとして地上アナログ放送中の或るチャンネルを選択している状態で、チャンネル＋キーを押し続けると、地上アナログ放送のチャンネル番号が昇順で切り換えられ、最後のチャンネルに続いて地上ディジタル放送の最初のチャンネルが受信される。地上ディジタル放送の全チャンネルの切換動作がなされると、ＢＳテレビの最初のチャンネルが受信される。さらに、ＢＳの全チャンネルの切換動作がなされると、ＣＳ１の最初のチャンネルが受信される。ＣＳ１の全チャンネルの切換動作がなされると、ＣＳ２の最初のチャンネルが受信される。そして、ＣＳ２の全チャンネルの切換動作がなされると、地上アナログ放送の最初のチャンネルが受信される。このように、例えば（地上アナログ→地上ディジタル→ＢＳ→ＣＳ１→ＣＳ２→地上アナログ）の順で、放送メディアが切り換えられる。チャンネル−キー６９を押し続ける時には、図４に示す矢印と逆方向に放送メディアが切り換えられる。
【００３５】
図５を参照してラジオサービスの場合の選局動作を説明する。ラジオサービスは、全ての放送メディアに存在せず、ＢＳ、ＣＳ１およびＣＳ２の放送メディア内に存在している。例えばＣＳ２ラジオを選択している状態で、チャンネル＋キーを押し続けると、ラジオサービスのチャンネル番号が昇順で切換動作がなされる。地上アナログ放送および地上ディジタル放送では、ラジオサービスが存在しないために、これらの放送メディアがスキップされて最後のチャンネルに続いてＢＳラジオを選局する状態となる。さらに、ＢＳラジオサービスの全チャンネルの切換動作がなされると、ＣＳ１ラジオの最初のチャンネルが受信される。ＣＳ１ラジオの全チャンネルの切換動作がなされると、ＣＳ２ラジオの最初のチャンネルが受信される。このように、例えば（ＢＳ→ＣＳ１→ＣＳ２→ＢＳ）の順で、放送メディアが切り換えられる。チャンネル−キー６９を押し続ける時には、図５に示す矢印と逆方向に放送メディアが切り換えられる。
【００３６】
図６を参照してデータサービスの場合の選局動作を説明する。データサービスは、全ての放送メディアに存在せず、地上ディジタル、ＢＳ、ＣＳ１およびＣＳ２に存在している。例えばＣＳ２データを選択している状態で、チャンネル＋キーを押し続けると、データサービスのチャンネル番号が昇順で切換動作がなされる。地上アナログ放送には、データサービスが存在しないために、この放送メディアがスキップされて最後のチャンネルに続いて地上ディジタルデータを選局する状態となる。地上ディジタルデータサービスの全チャンネルの切換動作がなされると、ＢＳデータの最初のチャンネルが受信される。さらに、ＢＳデータサービスの全チャンネルの切換動作がなされると、ＣＳ１データの最初のチャンネルが受信される。このように、例えば（地上ディジタル→ＢＳ→ＣＳ１→ＣＳ２→地上ディジタル）の順で、放送メディアが切り換えられる。ＣＳ１データの全チャンネルの切換動作がなされると、ＣＳ２データの最初のチャンネルが受信される。チャンネル−キー６９を押し続ける時には、図６に示す矢印と逆方向に放送メディアが切り換えられる。
【００３７】
上述したように、この発明の一実施形態では、チャンネル＋キー６８／−キー６９の押下で、アナログ放送およびディジタル放送を含む全ての放送メディアをシームレスに跨ぎ、同一サービス内で選局するようになされる。また、この発明の一実施形態では、放送メディアを跨いだ時に、跨いだ先の放送メディア内に選局するチャンネルが無い場合は、その放送メディアをスキップして選局するチャンネルがある放送メディアを選局するようになされる。また、放送メディアを跨いだ時に、跨いだ先の放送メディア内に選局中のサービス（テレビ／ラジオ／データ）が、無い場合は、その放送メディアをスキップしてサービスか存在する次の放送メディアのサービスが選局される。このような制御によって、必要のない放送メディアまたはチャンネルを選局することを省略でき、選局速度を向上できる。
【００３８】
図７は、リモコンコマンダ５のチャンネル＋キー６８またはチャンネル−キー６９を押し続けた場合の高速選局動作の具体例を示す。最初は、地上ディジタルの０１１チャンネルを受信し、そのチャンネルの映像および音声を再生している。テレビジョン受像機４の画面には、０１１チャンネルの画像Ｐ１とバナーＱ１とが表示される。バナーは、ＯＳＤ部１９によって表示される。なお、図７では、チャンネル番号のみからなるバナーが表示されているが、放送メディアの種類（ＢＳ、ＣＳ１等）とチャンネル番号の組み合わせからなるバナーを表示しても良い。
【００３９】
ここで、チャンネル＋キー６８が押されると、次の０１２チャンネルが選局され、０１２チャンネルの映像、音声およびデータが再生される。画面には、０１２チャンネルの画像Ｐ２とバナーＱ２とが表示される。
【００４０】
さらに、チャンネル＋キー６８が押し続けられると、再生される映像、音声およびデータは、０１２チャンネルのものであり、すなわち、０１２チャンネルの選局状態がホールドされ、バナーのチャンネル表示のみが変化し、地上ディジタルの最後のチャンネル番号「２１１」まで変化する。画面には、０１２チャンネルの画像Ｐ２と２１１チャンネルのバナーＱ３とが表示される。
【００４１】
図４を参照して説明したように、次にＢＳを選局する状態に変化する。すなわち、ＢＳの所定のチャンネル例えば最初の１０１チャンネルが選局される。テレビジョン受像機４によって１０１チャンネルの映像、音声およびデータが再生される。画面には、１０１チャンネルの画像Ｐ３とバナーＱ４とが表示される。
【００４２】
さらに、チャンネル＋キー６８を押し続けている間は、１０１チャンネルが選局されている状態がホールドされ、バナーのチャンネル番号表示のみが変化する。そして、ＢＳの２００チャンネルでチャンネル＋キー６８から手を離すと、チャンネル２００を選局する状態になり、チャンネル２００の画像、音声およびデータがテレビジョン受像機４によって再生され、画面上には、チャンネル２００の映像Ｐ４とバナーＱ５が表示される。
【００４３】
チャンネル−キー６９を押して選局を行う場合も、上述したチャンネル＋キー６８を押して選局する動作と同様の選局動作がなされる。
【００４４】
この発明の一実施形態では、チャンネル＋キーまたはチャンネル−キーを押して選局する場合に、実際にチューナによって選局されるのは、キーを押した時点で受信していたチャンネルの次のチャンネルであって、キーを押し続けても、選局状態が変わらず、バナー（チャンネル番号表示）のみが変化される。したがって、実際にチューナの選局状態を切り換えるのと比較してチャンネル切換の高速化が可能となる。
【００４５】
また、この発明の一実施形態では、放送メディアがシームレスに切り換わる際、切り換わり先の放送メディアの最初のチャンネルの選局のみを行い画像および音声を提示している。それによって、放送メディアが切り換わったことを明瞭に提示することができる。なお、切り替わり先の放送メディアの最初のチャンネルに限らず、切り換わり先の最初のチャンネルに比較的近接したチャンネル例えば２番目のチャンネルを選局するようにしても良い。
【００４６】
さらに、一実施形態では、上述したシームレス選局動作をユーザが指定した場合にのみ行うことが可能とされている。図８は、デジタルテレビジョン受像機４の画面に表示できるシームレス選局の設定画面の一例を示す。この画面はリモコンコマンダ５のセットアップキー５５を押下することによって起動することができる。
【００４７】
受信設定の中のチャンネル設定のメニューで、「チャンネル選局」３１の項目の中から、「通常」３２、「シームレス」３３の何れか一方をリモコンコマンダ５のカーソル移動キー６１と決定キーとを使用して選択することができる。「通常」３２を選択した場合は、シームレス選局がオフとされ、通常選局がなされ、「シームレス」３３を選択した場合は、上述したようなこの発明によるシームレス選局がオンとされる。通常選局は、チャンネル＋キー６８またはチャンネル−キー６９を押して選局する場合に、他の放送メディアに跨がって選局動作がされないものである。
【００４８】
上述した選局動作は、図２の構成におけるコントローラ２１の制御によってなされる。図９は、シームレス選局動作時に、チャンネル＋キーを押した時になされる、コントローラ２１の制御動作の一例を示すフローチャートである。最初のステップＳ１において、チャンネル＋キーが押下される。ステップＳ２において、現在の放送メディアの選局チャンネルのリストが受信データから取得される。選局リストをテレビジョン受像機４の初期設定時にユーザが設定して不揮発性メモリに記憶して、不揮発性メモリから各放送メディアの選局リストを随時読み出しても良い。
【００４９】
取得されたリストに基づいて、現在の放送メディアの最後のチャンネルにいるかどうかが判定される（ステップＳ３）。コントローラ２１は、チューナの選局動作を制御しているので、現在選局中のチャンネルの情報を有している。
【００５０】
最後のチャンネルにいないと判定されると、次チャンネルを現放送メディアの次のチャンネルに決定する（ステップＳ４）。一方、最後のチャンネルにいると判定されると、次の放送メディアの選局チャンネルのリストが取得され、次チャンネルを次の放送メディアの最初のチャンネルに決定する（ステップＳ５）。ステップＳ４またはＳ５で決定された次チャンネルが受信されると共に、次チャンネルのバナーが表示される（ステップＳ６）。
【００５１】
チャンネル＋キーがそのまま押し続けられているか否かがステップＳ７で判定される。チャンネル＋キーから手が離されたら処理が終了する。チャンネル＋キーがそのまま押し続けられていると判定されると、ステップＳ６で受信した状態がホールドされたままで、破線が囲んだステップＳ８、Ｓ９、Ｓ１０およびＳ１１の処理がなされる。
【００５２】
ステップＳ８では、現在の放送メディアの選局チャンネルのリストが取得される。ステップＳ９において、バナーのチャンネル表示をリストの順にインクリメントして行く。この場合、チャンネル番号を＋１ずつする変化に限らず、実際に放送局が存在するチャンネルのみを順に選局するようにしても良い。ステップＳ１０では、バナーのチャンネル表示がリストの最後まで到達した場合と、チャンネル＋キーの押し続けの解除の何れかがなされたか否かが判定される。
【００５３】
バナーのチャンネル表示がリストの最後まで到達したと判定されると、ステップＳ１１において、次の放送メディアの選局チャンネルのリストが取得される。ステップＳ１２では、次の放送メディアの最初のチャンネルを受信すると共に、次の放送メディアの最初のチャンネルのバナーを表示する。そして、ステップＳ１３において、チャンネル＋キーの押し続けが解除されたか否かが判定される。
【００５４】
ステップＳ１３において、チャンネル＋キーの押し続けが解除されていないと判定されると、ステップＳ８に処理が戻る。ステップＳ８（現在の放送メディアの選局チャンネルのリストの取得）、ステップＳ９（バナーのチャンネル表示のインクリメント）、ステップＳ１０（チャンネル＋キーの押し続けの解除に関する判定）の処理がなされる。
【００５５】
一方、ステップＳ１３において、チャンネル＋キーの押し続けが解除されたと判定されると、ステップＳ１４に処理が移る。ステップＳ１４では、バナーで現在表示されているチャンネルを受信し、バナーが現在表示されているチャンネルに固定される。また、ステップＳ１０において、チャンネル＋キーの押し続けが解除されたと判定された場合も、ステップＳ１４の処理がなされる。そして、処理が完了する。
【００５６】
図１０は、チャンネル−キー６９が押下された場合の処理の流れを示す。ステップＳ２１でチャンネル−キーが押下されると、ステップＳ２２において、現在の放送メディアの選局チャンネルのリストが取得され、ステップＳ２３の判定処理がなされる。
【００５７】
ステップＳ２３において、現在の放送チャンネルが最初のチャンネルであると判定されると、ステップＳ２５において、前の放送メディアの選局チャンネルのリストが取得され、次のチャンネルが前の放送メディアの最後のチャンネルと決定される。ステップＳ２３において、現在の放送チャンネルが現在の放送メディアの最初のチャンネルにいないと判定されると、ステップＳ２４において、次のチャンネルが現放送メディアの前のチャンネルと決定される。そして、Ｓ２４またはＳ２５で決定された次のチャンネルが受信されると共に、次チャンネルのバナーが表示される（ステップＳ２６）。
【００５８】
チャンネル−キーがそのまま押し続けられているか否かがステップＳ２７で判定される。チャンネル−キーから手が離されたら処理が終了する。チャンネル−キーがそのまま押し続けられていると判定されると、ステップＳ２６で受信した状態が継続されたままで、破線が囲んだステップＳ２８、Ｓ２９、Ｓ３０およびＳ３１の処理がなされる。
【００５９】
ステップＳ２８で現在の放送メディアの選局チャンネルのリストが取得され、ステップＳ２９において、バナーのチャンネル表示がリストの順にデクリメントされる。ステップＳ３０で、バナーのチャンネル表示がリストの最初まで到達したと判定されると、ステップＳ３１において、前の放送メディアの選局チャンネルのリストが取得される。ステップＳ３２では、前の放送メディアの最後のチャンネルを受信すると共に、前の放送メディアの最後のチャンネルのバナーを表示する。そして、ステップＳ３３において、チャンネル−キーの押し続けが解除されたか否かが判定される。
【００６０】
ステップＳ３３において、チャンネル−キーの押し続けが解除されていないと判定されると、ステップＳ２８に処理が戻る。ステップＳ２８（現在の放送メディアの選局チャンネルのリストの取得）、ステップＳ２９（バナーのチャンネル表示のデクリメント）、ステップＳ３０（チャンネル−キーの押し続けの解除に関する判定）の処理がなされる。
【００６１】
一方、ステップＳ３３において、チャンネル−キーの押し続けが解除されたと判定されると、ステップＳ３４に処理が移る。ステップＳ３４では、バナーで現在表示されているチャンネルを受信し、バナーが現在表示されているチャンネルに固定される。また、ステップＳ３０において、チャンネル−キーの押し続けが解除されたと判定された場合も、ステップＳ３４の処理がなされる。そして、処理が完了する。
【００６２】
この発明は、上述したこの発明の一実施形態等に限定されるものでは無く、この発明の要旨を逸脱しない範囲内で様々な変形や応用が可能である。例えばリモコンによるチャンネル切換は、コマンダのキー操作以外にコマンダの画面表示を利用したＧＵＩ(Graphical User Interface)、受像機上の画面表示を利用したＧＵＩ等によるチャンネル切換を使用しても良い。
【００６３】
また、バナーによるチャンネル表示の形態としては、放送メディアおよび／またはチャンネル番号の表示以外に放送局名の表示を行うようにしても良い。さらに、放送メディアが切り換わったことを示す表示として、上述した説明では、切り換わり先の放送メディアの最初または最後のチャンネルの画像を使用しているが、放送内容と無関係の画像を予め用意し、その画像を表示するようにしても良い。
【図面の簡単な説明】
【００６４】
【図１】この発明の一実施形態のシステムの全体的構成を示すブロック図である。
【図２】この発明の一実施形態のシステムの構成を示すブロック図である。
【図３】この発明の一実施形態におけるリモコンコマンダの一例を示す略線図である。
【図４】この発明の一実施形態によりテレビサービスを選局する処理を説明するための略線図である。
【図５】この発明の一実施形態によりラジオサービスを選局する処理を説明するための略線図である。
【図６】この発明の一実施形態によりデータサービスを選局する処理を説明するための略線図である。
【図７】この発明の一実施形態における選局動作の時間的流れを示す略線図である。
【図８】この発明の一実施形態における選局動作の設定放送を説明するための略線図である。
【図９】この発明の一実施形態においてチャンネル＋キーを押した場合の処理の流れを説明するためのフローチャートである。
【図１０】この発明の一実施形態においてチャンネル−キーを押した場合の処理の流れを説明するためのフローチャートである。
【符号の説明】
【００６５】
４      テレビジョン受像機
５      リモコンコマンダ
１１，１２，１３  チューナ
１９    ＯＳＤ部
２０    ディスプレイ
２１    コントローラ
６８    チャンネル＋キー
６９    チャンネル−キー
【図１】
2005109838.tif 000003
【図２】
2005109838.tif 000004
【図３】
2005109838.tif 000005
【図４】
2005109838.tif 000006
【図５】
2005109838.tif 000007
【図６】
2005109838.tif 000008
【図７】
2005109838.tif 000009
【図８】
2005109838.tif 000010
【図９】
2005109838.tif 000011
【図１０】
2005109838.tif 000012